(57)【要約】【課題】横臥姿勢において、無理なく横臥位を保ち、充分かつ適切な整体手技を効果的に行う。【解決手段】身体の横臥姿勢でその下面を支える底部と、該底部に上記身体の下面を支えた状態で身体を斜めに当接させる上記底部と鈍角状に交差する壁部とでなる身体の保定凹所を設けたベッドに、身体の下側になる腕及び肩にかかる圧迫を回避する収容部等を設け、さらに、ベッド後方を斜め上方に傾斜したベッドに被施術者を横臥姿勢状態で寝かせ、身体に窮屈感を与えることなく、整体手技を施すことを特徴とする。【選択図】  図１
2005137810.tif 000002
【特許請求の範囲】
【請求項１】
身体の横臥姿勢状態でその下面を支える底部と、該底部に上記身体の下面を支えた状態で身体を斜めに当接させる上記底部と鈍角状に交差する壁部とでなる身体の保定凹所を設けたベッドに被施術者を横臥姿勢状態で寝かせ、この状態で整体を施すことを特徴とする手技方法。
【請求項２】
横臥姿勢状態でその下側になる腕をベッドに設けた下向きの腕挿通孔に挿入させて施術することを特徴とする請求項１に記載の手技方法。
【請求項３】
横臥姿勢状態でその下側になる腕をベッドに設けた水平方向の溝に収容させて施術することを特徴とする請求項１記載の手技方法。
【請求項４】
横臥姿勢状態でその脚をベッドに設けた後方に至るに従い順次斜め上向きの脚当て部にのせて施術することを特徴とする請求項１記載の手技方法。
【発明の詳細な説明】
【技術分野】
【０００１】
本発明は、特別な構成のベッドを用い、このベッドに被施術者を横臥姿勢状態に寝かせて、整体を行ういわゆる整体手技方法に関する。
【背景技術】
【０００２】
従来、整体を受ける被施術者（以下「被施術者」という。）は、平らなベッド上でうつ伏せ、仰向けあるいは横臥の姿勢に寝かされ整体手技を受けている。
【特許文献１】特願２００２−３２１８６１
【特許文献１】特願２００３−３７５０４３
【発明の開示】
【発明が解決しようとする課題】
【０００３】
平らなベッドに従来のように「うつ伏せ」、「仰向け」あるいは「横臥姿勢」に寝かされると、以下のような問題点がある。
（うつ伏せの場合）
被施術者は、胸及び腹が圧迫され、呼吸が苦しくなる。
（仰向けの場合）
施術者は、
（ア）被施術者に押圧を適切に与えることはできるが重力の関係で、筋肉で背骨を支えるのが難しく負担がかかる。
（イ）腰の前弯の強い人にとっては、腰を支えるための負担がかかり、後弯の人にとっては、脚が辛くなる。
（ウ）筋肉の弱っている人は、背骨を支えることができずべったりとベッドに付いてしまい床ずれしやすい。
（横臥姿勢の場合）
（エ）横臥姿勢を支えるものがなく、押圧を加えると身体が押圧方向に傾倒し、押圧が緩和され適切な押圧が加えることができない。（オ）押圧により身体が押圧方向に捻れることにより、不自然な姿勢による身体に負担をかける。（カ）ベッド面にある下側の腕が圧迫され窮屈になる。（キ）両足を伸張上下に重ねた状態で横臥姿勢を保持することは難しく、上になる足は自分の体を支えるために足を傾けてバランスを保持しようとする。
この姿勢では、骨盤より下半身がうつ伏せ方向に捻れた姿勢となるため、特に腰痛のある人は横臥姿勢をとることが難しい。
【０００４】
そこで、本発明は、特別なベッドを使用して被施術者にもまた施術者をして充分かつ適切な整体手技を発揮できるようにすることにある。
【課題を解決するための手段】
【０００５】
前述の課題を解決するため、本発明に使用するベッドを使用した整体手技方法は、次のとおりである。
【０００６】
即ち、請求項１では、身体の横臥姿勢状態でその下面を支える底部と、該底部に上記身体の下面を支えた状態で身体を斜めに当接させる上記底部と鈍角状に交差する壁部とでなる身体の保定凹所を設けたベッドに被施術者を横臥姿勢状態で寝かせ、この状態で整体を施すことを特徴とする。
【０００７】
また、請求項２では、横臥姿勢状態でその下側になる腕をベッドに設けた下向きの腕挿通孔に挿入させて施術することを特徴とする。
【０００８】
また、請求項３では、横臥姿勢状態でその下側になる腕をベッドに設けた水平方向の溝に収容させて施術することを特徴とする。
【０００９】
また、請求項４では、横臥姿勢状態でその脚をベッドに設けた後方に至るに従い順次斜め上向きの脚当て部にのせて施術することを特徴とする。
【発明の効果】
【００１０】
以上のように、請求項１によれば、被施術者の身体をベッドに設けた保定凹所に被施術者の身体を左右に捻れないように支えた状態で手技を行うので手技における凹圧を適切にかつ効率的に行うことができる。
【００１１】
さらに、請求項２として、被施術者の腕及び肩が腕挿通孔に挿通されるため、被施術者自身の体重や手技における押圧などの荷重により、腕の上腕部若しくは付け根付近及び肩の圧迫を回避させて手技を行うことができる。
【００１２】
さらに、腰痛等のある被施術者でも痛みを伴わず、横臥姿勢を保つことができる。
【００１３】
さらに、請求項３として、被施術者の腕が収容部に収容されて圧迫が回避されるため、窮屈感を与えることなく、また、被施術者の横臥姿勢が必然的に身体が捻れることがなく、無理のない姿勢が保たれる。
【００１４】
さらに、請求項４として、ベッドの後方の脚当て部が傾斜している構造であるため、腰の高さと足の高さをほぼ水平に保つことができ、被施術者の身体の捻れを防止することができる、いわゆる頭の頂点から、脊柱、骨盤の中央、脚の中心ラインをほぼまっすぐに保つことができるととともに、傾斜を利用して脚部に手技における押圧を適切に且つ効果的に加えることができる。
【発明を実施するための最良の形態】
【００１５】
以下、本発明の整体手技方法の実施の形態を図面に基づいて説明する。
【００１６】
この実施の形態では、被施術者の横臥姿勢における手技を施すのに好適なものを示してある。
【００１７】
まず、手技に使用されるベッド１の構成について述べる。
被施術者の身体の横臥姿勢でその下面を支える底部２と該底部に鈍角α状に交差する壁部３とでなる身体の保定凹所４が設けられている。上記保定凹所４は例えば断面逆台形状に構成されている。上記保定凹所４には収容部５が設けられる。この収容部５はベッド１の長さ方向に直交する腕沿わせ用の樋状溝６と、ベッド１を貫通させた腕挿通孔７とで構成されている。また、ベッド１の保定凹所４は、後方部分が図４のように斜め上方に傾斜した脚当て部３ｂによって構成されている。８は抱き枕、９は頭枕であり、いずれも着脱可能になっている。
【００１８】
次に手技方法について述べる。
被施術者の身体をベッド１の保定凹所４に横臥姿勢をとらせる。
それによって被施術者の身体の半分程度が凹所に没入され、被施術者の身体は保定凹所４に支えられる。
この状態で施術者は被施術者の背中側を押圧などによる手技を行う。
なお、ベッド１上方には、抱き枕８が取り付けられており、この抱き枕８を抱えることにより押圧で身体が捻れることを防ぎ、手技による押圧をより効果的に施すことができる。
【００１９】
また、上記保定凹所４に被施術者を横臥姿勢で寝させることによっておのずと被施術者の背骨がまっすぐに矯正される。
【００２０】
横臥姿勢時では、従来の平らなベッドでは、下側になる腕が身体自らの体重や手技における押圧による荷重を受け圧迫される。そのため本発明のように腕挿通孔７に下側になる腕を挿通することで身体自らの体重や手技における押圧の荷重による圧迫を回避し、被施術者の負担を軽くし、施術者自らも楽に手技することができる。
【００２１】
また、被施術者の横臥姿勢時に、図１に示すように、腕挿通孔７に腕を挿通し肩を挿入することで、前述と同様被施術者の腕が圧迫されるのを回避することができる。さらに、腕挿通孔７の肩までの挿通により、被施術者の腕の上腕部や付け根付近を圧迫させることもないので、施術者は安心して手技を行うことができる。
【００２２】
身体正面や腕への手技を施す場合や五十肩などで腕挿通孔７の腕の挿通が苦痛の場合などは樋状溝６に腕を沿わせてやればよく、しかも腕が露出されているため手技も容易に施すことができる。
【００２３】
被施術者の脚を傾斜している脚当て部３ｂに乗せ、被施術者を楽な姿勢にしておいて、手技を行うことができる。
【００２４】
また、上記傾斜した脚当て部３ｂの存在により、横臥姿勢の骨盤の位置を中心に、脊柱、脚の中心ラインがほぼ水平に保たれるため、重力に対する抵抗が最小限の寝かたであり、身体にとって一番楽であるため、身体構造状不安定（二足歩行をするために、鎖骨があり、また肋骨や骨盤が横長に楕円にできているため）な寝かたである横臥位を安定させ、この状態で手技を行うことができる。
【００２５】
上記のように本発明によれば、特別のベッドの使用により様々な手技を効果的に行うことができる。
また、施術者がこのベッドを使用し手技を行うことにより、技術を短期間に習得することができる。
なお参考までにあげると後重心から前重心にする必要性がある。
そして現代人の人の特徴は、
・姿勢が悪い（スタイル）
・Ｏ脚
・動きが鈍い（副交換神経の働きにより）
・代謝があまり良くない
・肩こり、腰痛の原因
にもなっている。
これらを改善するには、前重心の体にする。
（ａ）後背筋、僧帽筋を揉みほぐすことにより脇を長くする。
（ｂ）大転子のまわりを揉みほぐすことにより股関節を柔らかくする（角度を作る）
こうすることにより、前重心になり、交換神経が活発に働くようになり、改善される。
（ｃ）脇を長くすると、
腹筋が使えるようになる。
腹筋は横隔膜を使う腹式呼吸をし易くなる。
（ｄ）股関節に角度を作ると、
重心が中央に乗り、（ｃ）の腹筋力と相まって前重心の体になる。
Ｏ脚が改善する。
上記のようにすれば、次の効果と結果が得られる。
（効果と結果）
・血行がよくなり代謝がよくなる。
・腹式呼吸により、自立神経の働きがよくなる。
・交換神経が良く働き、運動が良くできるようになる。
・副交換神経が良く働き、良く眠れるようになる。
・ヒップアップする。
・バストアップ（アンダーバストは締まり、トップが上がる）する。
・ウェストが締まり、下腹が引っ込む。
また、それぞれの症状は、“肩がこる”“肩が痛い”“腰が痛い”“目の疲れ”など、一見関係のない「部分」のようであっても、原因はどれも、「脇の縮み」と「股関節の機能不十分」という共通のものがある場合が多い。
ゆえに、それらを改善することによって、凝りや痛みなどの症状をとることができる。
【００２６】
上記後重心が前重心にするための様々の手技を本ベッドを用いて行ったところ、表１に示すような結果が得られた。
【表１】
2005137810.tif 000003
【図面の簡単な説明】
【００２７】
【図１】本発明の使用に係るベッドの実施の形態を示す斜視図である。
【図２】本発明の使用に係るベッドの斜視図である。
【図３】本発明の使用に係るベッドの正面図である。
【図４】本発明の使用に係るベッドの後部側面図である。
【図５】本発明の使用に係るベッドの使用者が腕を挿通孔に通している状態を示す図である。
【図６】本発明の使用に係るベッドで樋状溝に身体の腕を沿わせている状態を示す図である。
【符号の説明】
【００２８】
１          ベッド
３          壁部
３ｂ        脚当て部
４          保定凹所
５          収容部
６          樋状溝
７          腕挿通孔
８          抱き枕
９          頭枕
Ｋ          ベッド後方の傾斜角
α          鈍角（ベッド保定凹所の底部と壁部の傾斜角）
【図１】
2005137810.tif 000004
【図２】
2005137810.tif 000005
【図３】
2005137810.tif 000006
【図４】
2005137810.tif 000007
【図５】
2005137810.tif 000008
【図６】
2005137810.tif 000009